(57)【要約】【課題】スピーカーの駆動によって生じる空気を適切に放出可能な遊技機を提供する。【解決手段】スピーカユニット８を収容可能な空間を有する幕板機構５を備えたパチンコ機１であって、幕板機構５は、パチンコ機１の幅方向の一方に開設された第１の放音部５０と、幅方向の他方に開設された第２の放音部７０とを備え、第２の放音部７０には、幅方向に沿って延長する複数の横フィン７１０と、複数の横フィン７１０と交差する方向に延長する縦フィン７２０とが形成されたことを特徴とする。【選択図】図５
2018000791.tif 000002
【特許請求の範囲】
【請求項１】
スピーカユニットを収容可能な空間を有する幕板機構を備えたパチンコ機であって、
前記幕板機構は、前記パチンコ機の幅方向の一方に開設された第１の放音部と、
前記幅方向の他方に開設された第２の放音部と、
を備え、
前記第２の放音部には、前記幅方向に沿って延長する複数の横フィンと、
前記複数の横フィンと交差する方向に延長する縦フィンと、
が形成されたことを特徴とする遊技機。
【請求項２】
前記縦フィンが、前記第２放音部の幅方向中心よりも前記幅方向の他方側に位置することを特徴とする請求項１記載の遊技機。
【請求項３】
前記第２放音部が、ハンドルユニットの下方に開設され、
前記複数の横フィンが、後方から前方に向けて上方に傾斜することを特徴とする請求項１又は請求項２記載の遊技機。
【請求項４】
前記空間内において前記幅方向に沿って延長し、前記第２放音部と連通するダクト部を有することを特徴とする請求項１乃至請求項３いずれかに記載の遊技機。
【発明の詳細な説明】
【技術分野】
【０００１】
本発明は、遊技機に関し、特に遊技者対して風を放出可能な遊技機に関する。
【背景技術】
【０００２】
従来、遊技機の一例としてのパチンコ機には、遊技中の効果音や楽曲、音声等の音を出力するスピーカーが設けられ、スピーカーから発せられるこれらの音によって遊技上の演出効果を高める構成が知られている。
【先行技術文献】
【特許文献】
【０００３】
【特許文献１】特開２００４−１６７２２１号公報
【発明の概要】
【発明が解決しようとする課題】
【０００４】
上記スピーカーを有するパチンコ機として特許文献１には、所謂バスレフダクトを備えた構成が開示され、当該バスレフダクトにおいては、ダクトの出口を遊技者が操作する発射ハンドルの直下に開設することにより、ダクトの出口から放出される空気（音）を、発射ハンドルを操作する遊技者の手に当て、演出効果を高める構成が開示されている。
しかしながら、上記構成にあっては、空気の流れる方向を出口付近において遊技者の正面方向に向けて急激に変化させる構成であるため、出口から放出される空気が、隣接するパチンコ機側に向かいやすく、隣接するパチンコ機の遊技者に不快感を与える懸念がある。
【０００５】
本発明は、上記課題を解決すべくなされたものであって、スピーカーの駆動によって生じる空気を適切に放出可能な遊技機を提供する。
【課題を解決するための手段】
【０００６】
上記課題を解決するための本発明の構成として、スピーカユニットを収容可能な空間を有する幕板機構を備えたパチンコ機であって、幕板機構は、パチンコ機の幅方向の一方に開設された第１の放音部と、幅方向の他方に開設された第２の放音部とを備え、第２の放音部には、幅方向に沿って延長する複数の横フィンと、複数の横フィンと交差する方向に延長する縦フィンとが形成された構成とした。
また、縦フィンが、第２放音部の幅方向中心よりも幅方向の他方側に位置する構成としても良い。
また、第２放音部が、ハンドルユニットの下方に開設され、複数の横フィンが、後方から前方に向けて上方に傾斜する構成としても良い。
また、空間内において幅方向に沿って延長し、第２放音部と連通するダクト部を有する構成としても良い。
なお、上記発明の概要は、本発明の必要な特徴の全てを列挙したものではなく、特徴群を構成する個々の構成もまた発明となり得る。
【発明の効果】
【０００７】
上記各構成に係る遊技機によれば、スピーカーの駆動によって生じる空気を適切に放出できる。
【図面の簡単な説明】
【０００８】
【図１】パチンコ機の概略斜視図である。
【図２】遊技盤の正面図である。
【図３】パチンコ機の制御ブロック図である。
【図４】幕板機構の正面図である。
【図５】幕板機構のＡ−Ａ断面図である。
【図６】幕体機構のＢ−Ｂ断面図である。
【図７】幕体機構のＣ−Ｃ断面図である。
【発明を実施するための形態】
【０００９】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１０】
［遊技機の全体構成について］
遊技機の一例としてのパチンコ機１は、遊技場の島設備に設置される縦長方形状の機枠２と、この機枠２の一側部においてヒンジ機構により開閉自在に取り付けられた本体枠３と、当該機枠２の下部に固定され、本体枠３の下方に配設された幕板機構５と、本体枠３内に収容された遊技盤３０と、本体枠３の前方において開閉可能に軸着され、中央部に配設されたガラス窓４Ａ、及びガラス窓４Ａの下方に設けられた上皿６Ａを有するパネル枠４と、パネル枠４の下部一側部より前方に突設されたハンドルユニット７を主たる構成として備える。パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３１を視認することが可能である。
【００１１】
上皿６Ａの中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２００と接続されており、プッシュボタン９Ａ、及びダイアル９Ｂから出力される信号は、演出制御回路２００側に入力する。演出制御回路２００は、例えばプッシュボタン９Ａの入力タイミングに応じてメイン表示装置８０の表示及び動作を制御する。上皿６Ａには、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１２】
［遊技盤の構成について］
図２に示すように、本体枠３内に収容された遊技盤３０には、外ガイドレール２７及び内ガイドレール２８によって略円形状に区画された遊技領域３１が形成される。遊技領域３１は、遊技盤３０の前面とガラス窓４Ａの後面との間に形成される空間であり、図外の発射機構により打ち出された遊技球が流下可能な領域である。遊技盤３０上には、この他、多数の釘が配設されており、遊技者のハンドルユニット７の操作によって図外の発射機構により発射された遊技球は、多数の釘や風車によって不規則に誘導されつつ遊技領域３１内を流下する。遊技領域３１は、概ねラインＣＬを境界として、左打ち領域ＥＬと右打ち領域ＥＲとに分けられており、遊技球を打ち出す強度をハンドルユニット７の操作によって調整することにより、遊技球をいずれの領域上に流下させるかを選択することができる。
【００１３】
遊技盤３０の盤面には、第１始動入賞部品６０、第２始動入賞部品６２、大入賞部品６４、通過ゲート６８、及び一般入賞部品５９が配設されており、これらの入賞部品に遊技球が入球し、各部品内に内蔵されたスイッチ（第１始動口検出スイッチＳＷ１，第２始動口検出スイッチＳＷ２，大入賞口検出スイッチＳＷ３，一般入賞口検出スイッチＳＷ５）により検出されると、各入賞部品に対応した所定数の賞球が上皿６Ａに払出される。また、遊技球が第１始動入賞部品６０、又は第２始動入賞部品６２に入球すると、上記賞球の払出しの他、大入賞部品６４を開放動作させ、所定の確率によって、遊技者にとって有利な状態を醸成する特別遊技（大当り遊技）の実行可否に関する抽選や、当該特別遊技の態様、或いは特別遊技後の遊技状態を決定するための抽選を始めとする各種の抽選が主制御回路１００により実行される。即ち、第１始動入賞部品６０、又は第２始動入賞部品６２への遊技球の入球は、上記各種の抽選を受けるための契機となるものである。
【００１４】
第１始動入賞部品６０は、左打ち領域ＥＬに配設される入賞部品であって、遊技盤３０の左右方向略中央部に位置し、上方開口の入球口６０ａを有している。第２始動入賞部品６２は、右打ち領域ＥＲに配設される入賞部品であって、側面開口の入球口６２ｂと、当該入賞口を閉鎖又は開放する開閉体６２ａとを備える。開閉体６２ａは、閉鎖状態と開放状態を取り得る羽根状部材よりなり、当該羽根状部材が上下方向に直立した閉鎖状態にあっては、入球口６２ｂの上縁部に近接する壁部６３との位置関係により、入球口６２ｂに入球することが阻止される。一方、羽根状部材が左右方向に倒伏した開放状態にあっては、上記壁部６３との間に遊技球の流下可能なスペースが生じ、入球口６２ｂへの入球が許容される。なお、開閉体６２ａの上記開閉動作は、後述するソレノイドＳＯＬ１の駆動によって実現される。また、開閉体６２ａの開放動作は、遊技領域３１の右側部に配設された通過ゲート６８への遊技球の通過を契機として、主制御回路１００により実行される開放動作の可否に関する抽選の結果が当りとなった場合に実行される。通過ゲート６８は、右打ち領域ＥＲにおける第２始動入賞部品６２の上流側に位置する上下開口の門型の遊技部品であって、右打ち領域ＥＲを流下する遊技球のみが通過可能となっている。
【００１５】
右打ち領域ＥＲにおける第２始動入賞部品６２の下流側には、大入賞部品６４が配設される。大入賞部品６４は、上方開口の横長矩形状の入球口６４ａと、当該入球口６４ａを閉鎖又は開放する開閉体６５とを有する。開閉体６５は、後述するソレノイドＳＯＬ２の駆動によって、遊技盤３０の前後方向に進退動作可能な部材であって、遊技盤３０の前方に突出した状態において入球口６４ａを閉鎖状態とし、遊技盤３０の後方に没入した状態において入球口６４ａを開放状態とする。入球口６４ａが閉鎖状態の場合に遊技球が大入賞部品６４に到達した場合、当該遊技球は、開閉体６５上を通過して、破線で示すスロープ６６を経由して下流側に誘導される。また、開閉体６５の開放動作は、第１始動入賞部品６０又は第２始動入賞部品６２への遊技球の入球を契機として実行される特別遊技の実行可否に関する所定の抽選結果が当りとなった場合に実行される。一般入賞部品５９は、左打ち領域ＥＬの左下部に配設される部材であって、上方開口の入球口５９ａを有する。
【００１６】
次に、遊技盤３０に搭載された各種の表示装置について説明する。図２に示すように、遊技盤３０の略中央部には、略矩形状の表示画面Ｄ１；Ｄ２を有するメイン表示装置８０が配設される。メイン表示装置８０は、液晶ディスプレイを備えた表示装置であって、その表示画面Ｄ１；Ｄ２上には、例えば数字とキャラクターとが組み合わされた演出図柄Ｓに関する画像や、当該演出図柄の変動表示に伴って表示される予告演出やリーチ演出等を表現する静止画や動画等の画像や特別遊技中において表示される画像等、多様な種類の画像が表示される。そして、遊技者は主に表示画面Ｄ１；Ｄ２において表示される演出図柄Ｓや予告演出やリーチ演出と言った変動演出を視認しながら遊技を楽しむこととなる。なお、当該メイン表示装置８０に対する画像の表示制御は、後述の演出制御回路２００によって実行される。また、上記変動演出をはじめとして、パチンコ機１の遊技中においては、遊技の進行に沿った効果音や楽曲その他の音声が後述の幕板機構５内に収容されたスピーカユニット８から発せられ、その演出効果を高める構成が採用されている。
【００１７】
遊技盤３０の遊技領域３１の外方には、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８が設けられている。各表示装置は、遊技の進行状況に応じて主制御回路１００によって制御され、その表示の変化によって遊技状況を遊技者に報知する。
【００１８】
［パチンコ機の内部構成について］
図３は、パチンコ機１の制御を担う制御手段の構成を示すブロック図である。同図に示すように、パチンコ機１は、主として遊技全般に係る基本動作を制御する主制御回路１００と、主として払出動作を制御する払出制御回路１５０と、主として遊技球の発射動作を制御する発射制御回路１６０及び、主として前述のメイン表示装置８０を制御する演出制御回路２００とを備える。
【００１９】
主制御回路１００は、（メイン）ＣＰＵ１００ａ、（メイン）ＲＯＭ１００ｂ、及び（メイン）ＲＡＭ１００ｃを備えてなり、ＣＰＵ１００ａが後述する各検出スイッチやタイマからの入力に対応してＲＯＭ１００ｂに予め格納されたプログラムを読み出して、当該プログラムに従った演算処理を行い、主制御回路１００に接続された上述の各装置を直接的に制御したり、他の制御回路に多様なコマンドを送信する。また、このときＲＡＭ１００ｃは、ＣＰＵ１００ａの演算処理時におけるワークエリアとして機能し、演算に必要な各種のデータや、コマンドを一時的に保持する。
【００２０】
図３に示すように、主制御回路１００には、第１始動入賞部品６０への遊技球の入球を検出する第１始動口検出スイッチＳＷ１、第２始動入賞部品６２への遊技球の入球を検出する第２始動口検出スイッチＳＷ２、大入賞部品６４への遊技球の入球を検出する大入賞口検出スイッチＳＷ３、通過ゲート６８への遊技球の通過を検出するゲート検出スイッチＳＷ４及び一般入賞部品５９への遊技球の入球を検出する一般入賞口検出スイッチＳＷ５が接続されており、各検出スイッチから出力された検出信号が主制御回路１００側に入力する。
【００２１】
また、主制御回路１００には、前述の第２始動入賞部品６２に設けられた開閉体６２ａを開閉動作させるためのソレノイドＳＯＬ１、及び大入賞部品６４に設けられた開閉体６５を開閉動作させるためのソレノイドＳＯＬ２が接続され、これらのソレノイドが主制御回路１００によって直接的に制御される。また、主制御回路１００には、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８が接続されており、これらの表示装置が主制御回路１００によって直接的に制御される。
【００２２】
主制御回路１００には、払出制御回路１５０、及び演出制御回路２００が接続されている。払出制御回路１５０は、主制御回路１００と同様に不図示のＣＰＵ、ＲＯＭ、ＲＡＭを備えたマイクロコンピュータであって、主制御回路１００と通信可能に接続されている。また、主制御回路１００と払出制御回路１５０とには、外部情報出力端子板１５１が接続されている。外部情報出力端子板１５１は、主制御回路１００（ＣＰＵ１００ａ）及び払出制御回路１５０（払出ＣＰＵ）から出力された遊技の進行に関する種々の情報をパチンコ機１の設置店等に設けられたホストコンピュータ側に送信する。
【００２３】
払出制御回路１５０には、遊技者に対して賞球を払い出すための払出モータ１５２、及び賞球数計数スイッチ１５３が接続されている。払出制御回路１５０は、主制御回路１００から送信される払出コマンドに含まれる賞球数情報に基づいて所定の賞球数が払い出されるように払出モータ１５２を制御する。当該払出モータ１５２の駆動により払い出された賞球は、賞球数計数スイッチ１５３により検出され、払出制御回路１５０側において、適正な賞球数が払い出されたかが把握される。なお、払出制御回路１５０には、この他、上皿６Ａに許容数以上の遊技球が貯留されていることを検知する皿満タン検出スイッチ１５４や、パネル枠４や本体枠３の扉が開放していることを検知する扉開放検出スイッチ１５５等の各種のスイッチが接続される。
【００２４】
また、発射制御回路１６０には、ハンドルユニット７内に搭載されたタッチセンサ１６１、発射ボリューム１６２、図外の発射機構内に上皿６Ａに貯留された遊技球を送り込む球送りモータ１６３、及び発射機構内に格納された球発射モータ１６４が接続されている。発射制御回路１６０は、払出制御回路１５０からの発射許可およびタッチセンサ１６１からの入力を条件として、遊技者によるハンドルユニット７の操作量に応じて変化する発射ボリューム１６２からの入力信号に基づいて球発射モータ１６４を制御し、上皿６Ａに貯留された遊技球を所定の発射力により遊技領域３１内に打ち出す。
【００２５】
演出制御回路２００は、遊技進行中や待機中における各種の演出表示や演出動作を制御する。演出制御回路２００は、（サブ）ＣＰＵ２００ａ、（サブ）ＲＯＭ２００ｂ、（サブ）ＲＡＭ２００ｃを備えてなり、主制御回路１００に対して主制御回路１００から演出制御回路２００に対してのみ通信（一方向通信）が可能なように接続されている。当該演出制御回路２００は、主制御回路１００から送信される演出に関する各種のコマンドや内部タイマからの入力信号に基づいて、ＲＯＭ２００ｂに予め格納されたプログラムを読み出して当該プログラムに従った演算処理を行い、演出制御回路２００に接続されたメイン表示装置８０の表示画面Ｄ１；Ｄ２に表示される画像の表示制御、或いは、表示画面Ｄ１；Ｄ２をそれぞれ動作させるための図外のモータ等の動作制御、遊技進行中における楽曲や効果音などの音声をスピーカユニット８から出力させる音声出力制御、或いは遊技盤３０及びパネル枠４等の各所に配設された発光体（例えば、ＬＥＤ）を多様なパターンにより発行させる発光制御等を実行する。なお、このときＲＡＭ２００ｃは、ＣＰＵ２００ａの演算処理時におけるワークエリアとして機能し、演算に必要な各種のデータや、コマンド等を一時的に保持する。
また、演出制御回路２００は、ＣＰＵ２００ａと接続され、当該ＣＰＵ２００ａより送信される画像表示に係る各種のコマンドを受信して表示画面Ｄ１；Ｄ２に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御回路２００には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００２６】
また、図示は省略するが、上述の各制御回路には電源供給回路が接続されており、当該電源供給回路に設けられた電源スイッチの操作により、遊技設置店側の外部電源から電源が供給され、該外部電源を各制御回路の動作に必要な電源として生成し、各制御回路に生成した電源を供給することで各制御回路が起動する。また、電源供給回路には、コンデンサ等のバックアップ用電源が搭載されており、断電時においては当該バックアップ用電源から主制御回路１００及び払出制御回路１５０に対して電力が供給され、これら２つの制御回路のＲＡＭに格納された各種のデータやコマンドが保持される。また、電源供給回路には、演出制御回路２００に対する専用のバックアップ用電源も搭載されており、断電時においては当該専用のバックアップ用電源からの電力供給によりＲＡＭに格納された各種のデータやコマンドの一部が別途搭載されたバックアップ用ＲＡＭに格納される。
【００２７】
以下、図４乃至図７を参照して、上記演出制御回路２００の音声出力制御により駆動するスピーカユニット８が収容された幕板機構５の構成について説明する。幕板機構５は、本体枠３の下部に配設される箱型の収容構造体である。図４に示すように、幕板機構５には、前方に向けて開口する第１放音部５０と、当該第１放音部５０に対して幅方向（左右方向）の反端側に離間し、主に低音域が強調して放音される第２放音部７０とが開設される。図１にも示すように、第１放音部５０は、下皿６Ｂの下方から左側部にかけて延長する長軸を有する楕円状の開口であって、その前面は網状に形成されたパンチングメタルによって覆われている。第２放音部７０は、ハンドルユニット７の位置と対応するようにハンドルユニット７の下方に開設された上下方向に長い矩形状の開口であって、その全域には、後述するフィン機構７００が形成されている。当該第２放音部７０を介して前方に放出される音（空気）は、フィン機構７００を通過することによって、上方に位置するハンドルユニット７を操作する遊技者の手に向けて導出される。
【００２８】
次に、幕板機構５の全体構成について説明する。図５，６に示すように幕板機構５は、外枠２及び本体枠３の幅方向に沿った長辺を有する略矩形状の箱体である。幕板機構５は、底面５００と、当該底面５００の前縁及び後縁から略垂直に立ち上がる前面５０２及び後面５０４と、底面５００の両側縁から略垂直に立ち上がる左側面５０６及び右側面５０８と、前面５０２、後面５０４、左側面５０６及び右側面５０８を上方において接続する天面５１０とからなり、前面５０２に開設された第１放音部５０及び第２放音部７０の領域を除く６方が取り囲まれた収容空間を構成すると共に、スピーカユニット８のエンクロージャとして機能する。
【００２９】
各図に示すように、幕板機構５を形成する各面には、機械的強度や位置決めを確保するための段部やリブ、或いは、外枠２や本体枠３への取付用のボス部等が形成されている。そして、幕板機構５は、上記ボスを介して固定手段が締結されることにより、第１放音部５０及び第２放音部７０が前方に向いた状態で外枠２及び本体枠３の下部の間に固定される。
【００３０】
図５に示すように、幕板機構５の空間内には、スピーカユニット８が配設される。スピーカユニット８は、概略、第１放音部５０の後方に配置されるヨーク８Ａと、当該ヨーク８Ａの周囲に配置されたマグネット８Ｂと、ヨーク８Ａとマグネット８Ｂとの間に配置され、外周にボイスコイル８Ｃが巻回されたボビン８Ｄと、当該ボビン８Ｄとダンパー８Ｅを介して接続された後方に向けて凹となるすり鉢状のフレーム８Ｆと、当該フレーム８Ｆの前方において、エッジを介して配設されたコーン紙８Ｇとから構成される。
【００３１】
同図に示すように、演出制御回路２００側からの制御信号に基づくボイスコイル８Ｃの前後方向への往復動作は、振動板としてのコーン紙８Ｇの振動に変換され、前方への変位によってコーン紙８Ｇの前方から生じる音（空気）Ｘ１は、前方に位置する第１放音部５０から放音されることとなる。一方、後方への変位によって、前記音Ｘ１とは逆相となるコーン紙８Ｇの後方から生じる音（空気）Ｘ２は、幕板機構５内に形成されたダクト部（ポート）６００を経由し、第１放音部５０とは反対側に形成された第２放音部７０から放音されることとなる。即ち、幕板機構５と当該幕板機構５内に収容されたスピーカユニット８は、所謂バスレフダクト型のエンクロージャを備えたスピーカーを構成するものである。
【００３２】
図５，図６に示すように、ダクト６００は、幕板機構５の幅方向中間よりも右側から第２放音部７０に向けて連続して延長し、当該第２放音部７０と連通する通気路である。ダクト６００は、前面５０２と、当該前面５０２の後面に対して取り付けられるダクト板６０２との間に形成される空間である。図６，７にも示すように、ダクト板６０２は、縦断面が細長コの字状に形成された板体であって、その上下寸法は、第２放音部７０の上下寸法と実質的に等しく形成される。また、ダクト板６０２は、前面５０２の上下寸法略中央位置において、前方の前面５０２に対して熱溶着等の手段により密に取り付けられる。図５に示すように、ダクト６００の一部を構成する前面５０２には、ダクト板６０２側に突出する整流部５０２Ａが形成される。整流部５０２Ａは、ダクトの幅方向寸法（ダクト長）の中間位置よりも右側から第２放音部７０の左縁まで延長し、ダクト６００の流入部６００Ａから内部に流入してきた音（空気）を上下方向に隔てるように整流する。当該整流部５０２Ａが形成されたことにより、ダクト６００内を通過する空気に乱流が生じ難くなり、音質を向上させることができる。
【００３３】
このように、ダクト６００内に流入した空気は、整流部５０２Ａによって整流された後、第２放音部７０に形成されたフィン機構７００を経由して第２放音部７０から放出される。つまり、ダクト６００内に流入した空気は、スピーカユニット８から離れる側（右側）に導かれた後、その方向が前方に向けて９０°変換されて第２放音部７０から放出されることとなる。従って、第２放音部７０から放出される空気は、パチンコ機１の右方向、即ち、パチンコ機１の右側に隣接する他のパチンコ機１の遊技者に向かい易い傾向となる。なお、幕板機構５やダクト６００の幅方向、上下方向、前後方向寸法は、第２放音部７０から放出される所望の音の周波数帯域に応じて適宜設定すればよく、図示の寸法等に限定されるものではない。
【００３４】
次に、第２放音部７０の構成について説明する。前述のとおり、第２放音部７０には、略格子状に形成されたフィン機構７００が形成されており、第２放音部７０から放出される空気は、当該フィン機構７００によってその方向（上下，左右角度）が規制される。図６，図７に示すように、フィン機構７００は、縦長矩形に形成された第２放音部７０の幅方向に沿って延在する複数の横フィン７１０と、各横フィン７１０を幅方向に分断するように第２放音部７０の上下方向に沿って延在する縦フィン７２０とから構成される。特に図６示すように、各横フィン７１０は、第２放音部７０の両側縁間に渡って延長すると共に、後方から前方に向けて上向きとなるように傾斜し、互いに平行かつ上下方向に沿って互いに均等な間隔で配設される板体である。よって、第２放音部７０からの空気は、上方に傾斜して配設された複数の横フィン７１０によって、上方側、即ち、ハンドルユニット７側に向けて放出される。
【００３５】
図４乃至図６に示すように、縦フィン７２０は、第２放音部７０の上下縁間に渡って延長する板体であって、複数の横フィン７１０と交差（直交）することにより、幅方向に延在する各横フィン７１０を幅方向に分断する。図５に示すように、縦フィン７２０は、第２放音部７０の幅方向寸法（例えば２０．５ｍｍ）の中心よりも右側に位置ずれ（例えば中心から２．２５ｍｍ）して設けられている。よって、第２放音部７０における複数の横フィン７１０と縦フィン７２０によって区画される開口の面積は、縦フィン７２０を基準とした右側領域Ｒ１よりも左側領域Ｒ２の方が大とされており、より多くの空気が左側領域Ｒ２を経由して放出されることとなる。このように、縦フィン７２０が第２放音部７０
に形成されたことによって、右方向への空気の流れ（角度）が抑制され、縦フィン７２０が幅方向中心よりもズレた位置に形成されることによって、右側領域Ｒ１の開口面積が左側領域Ｒ２の開口面積よりも大となったことによって、右側領域Ｒ１から放出される空気の量が相対的に減じられ、パチンコ機１の右側に隣接する他のパチンコ機１の遊技者に向かう空気の量を抑制できるため、隣接する他のパチンコ機１の遊技者に対して不快感を与えることを防止しつつ、ハンドルユニット７を操作する遊技者の手に音圧をより効率的に感じさせることができ、遊技の進行に応じて発せられる音声によって、より臨場感のある演出表現を看取させることが可能となる。
【００３６】
上記実施の形態はこれに限定されるものではなく、例えば、上記形態においては、縦フィン７２０の前後方向の角度を横フィン７１０と直交する角度としたが、後方から前方に向けて左傾斜となる角度に設定することにより、左側領域Ｒ２からの空気をより左方向に導出することができる。また、上記形態においては、横フィン７１０と縦フィン７２０の前端面の位置を前面５０２と略面一となるように設定したが、前端面の位置を前面５０２よりも前方に突出させることにより、空気の直進性が増すため、より一層、パチンコ機１の右側に隣接する他のパチンコ機１への空気の放出を抑制できるとともに、遊技者のハンドルユニット７側に空気を正確に導出することができる。また、いずれか一方のフィンを前方に突出させることによっても上記同様の効果が生じる。
【００３７】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００３８】
１  パチンコ機，５  幕板機構，７  ハンドルユニット，８  スピーカユニット，
３０  遊技盤，５０  第１放音部，７０  第２放音部，６００  ダクト，
７１０  横フィン，７２０  縦フィン
【図１】
2018000791.tif 000003
【図２】
2018000791.tif 000004
【図３】
2018000791.tif 000005
【図４】
2018000791.tif 000006
【図５】
2018000791.tif 000007
【図６】
2018000791.tif 000008
【図７】
2018000791.tif 000009